(57)【要約】  アイドルモードＵＥが、そのＵＥをページングしているセルとは異なるセルにＲＡＣＨすることができる。ＵＥは、その中でＲＡＣＨすべきセルを識別するために近傍にあるすべてのセルに応答するための追加の時間を割り当てられ得る。ＵＥが接続モードにあるかアイドルモードにあるかに基づいて、干渉消去が異なるレートで行われ得る。ページに応答すべき時間はページングサイクルの関数であり得る。さらに、可変バイアスが、低電力セルへの早いハンドオフと、高電力セルへの遅いハンドオフを促進し得る。
2014534703.tif 000002
【特許請求の範囲】
【請求項１】
少なくとも１つのより強いセルからのより強い信号が存在する場合、セル範囲拡大（ＣＲＥ）領域中のより弱いセルにキャンプオンすることと、
アイドルモードにあるときには第１のレートで、接続モードにあるときには第２のより速いレートで、前記より強いセルからの少なくとも１つの信号に対して干渉消去（ＩＣ）を実行することと
を備える、ワイヤレス通信の方法。
【請求項２】
前記少なくとも１つの消去された信号が、１次同期信号（ＰＳＳ）、２次同期信号（ＳＳＳ）、物理ブロードキャストチャネルまたは共通基準信号を備える、請求項１に記載の方法。
【請求項３】
第１のセルからのページを復号することと、
前記ページを復号したことに応答して、異なる第２のセルに接続すべきかどうかを判断することと、
前記ページに応答して、前記判断に少なくとも部分的に基づいて前記第１のセルまたは前記第２のセルに接続することと
を備える、ワイヤレス通信の方法。
【請求項４】
前記判断することが、範囲拡大モードで構成されたＵＥについて、マクロセルの信号電力とピコセルの信号電力とを測定することと、前記測定に基づいて前記マクロセルまたは前記ピコセルに接続することとをさらに備える、請求項３に記載の方法。
【請求項５】
前記ページに応答することが、前記第１のセルからの前記ページに応答して前記第２のセルに接続することをさらに備える、請求項３に記載の方法。
【請求項６】
前記第２のセルを識別するために、前記第１のセルからの前記ページに応答して、ネイバーセル探索を実行すること
をさらに備え、
前記ページに応答することが、前記第２のセルに接続要求を送ることをさらに備える、
請求項３に記載の方法。
【請求項７】
前記ネイバーセル探索を前記実行することが、干渉消去を実行することをさらに備える、請求項６に記載の方法。
【請求項８】
アイドルモードから接続モードに切り替わることと、
接続モードにある間にまたは接続モードに遷移している間に、および前記第１のセルと通信するより前に、
干渉消去を実行することと、
複数のセルを検出することと、
前記第２のセルを識別することと、
前記第２のセルに接続することと
をさらに備える、請求項６に記載の方法。
【請求項９】
アイドルモードから接続モードに遷移するときには第１のレートで、接続モードにあるときには第２のより遅いレートで干渉消去を実行することをさらに備える、請求項６に記載の方法。
【請求項１０】
セル範囲拡大（ＣＲＥ）有効モードで動作しているときに、前記判断されたセルに接続するために追加の時間が割り振られる、請求項６に記載の方法。
【請求項１１】
マクロセルへのハンドオフ時に干渉消去を無効化することをさらに備える、請求項３に記載の方法。
【請求項１２】
ページング中断時間がページングサイクルの関数である、請求項３に記載の方法。
【請求項１３】
ページング中断時間がバイアスの関数である、請求項３に記載の方法。
【請求項１４】
ページング中断時間が、前記ページに関連する通信タイプの関数である、請求項３に記載の方法。
【請求項１５】
ページング中断時間は、ユーザ機器（ＵＥ）がセル範囲拡大（ＣＲＥ）領域中にあるかどうかの関数である、請求項３に記載の方法。
【請求項１６】
より強いセルからの信号を受信することと、
前記より強いセルよりも低い送信電力を有するより弱いセルからの信号を受信することと、
接続モードからアイドルモードに遷移してからの持続時間に少なくとも部分的に基づいて、前記より強いセルにキャンプオンすべきか前記より弱いセルにキャンプオンすべきかを判断することと
を備える、ワイヤレス通信の方法。
【請求項１７】
前記持続時間がしきい値よりも小さいとき、前記より弱いセルにキャンプオンすることをさらに備える、請求項１６に記載の方法。
【請求項１８】
前記持続時間がしきい値よりも大きいとき、前記より強いセルにキャンプオンすることをさらに備える、請求項１６に記載の方法。
【請求項１９】
前記しきい値が前記基地局によって構成される、請求項１７に記載の方法。
【請求項２０】
前記しきい値が前記ＵＥによって判断される、請求項１７に記載の方法。
【請求項２１】
前記しきい値がデータの量に基づく、請求項１７に記載の方法。
【請求項２２】
サービング基地局ランク値を識別することであって、前記サービング基地局ランク値が受信サービング基地局信号電力とバイアス値とに少なくとも部分的に基づいて判断される、識別することと、
近隣基地局ランク値を識別することであって、前記近隣基地局ランク値が受信近隣基地局信号電力とオフセット値とに少なくとも部分的に基づいて判断される、識別することと、
前記サービング基地局ランク値が前記近隣基地局ランク値よりも小さいとき、サービング基地局から近隣基地局へのハンドオフを開始することと
を備える、ワイヤレス通信の方法。
【請求項２３】
前記バイアス値が基地局タイプに対応する、請求項２２に記載の方法。
【請求項２４】
ユーザ機器（ＵＥ）が前記オフセット値を判断する、請求項２２に記載の方法。
【請求項２５】
前記オフセット値が、前記ＵＥのアクティブ通信ニーズに基づいて前記ＵＥによって選択される、請求項２２に記載の方法。
【請求項２６】
前記オフセット値が前記ＵＥにブロードキャストされる、請求項２２に記載の方法。
【請求項２７】
前記オフセット値が、複数のオフセット値から前記ＵＥによって自律的に選択される、請求項２２に記載の方法。
【請求項２８】
前記複数のオフセット値が前記ＵＥにブロードキャストされる、請求項２２に記載の方法。
【請求項２９】
少なくとも１つのより強いセルからのより強い信号が存在する場合、セル範囲拡大（ＣＲＥ）領域中のより弱いセルにキャンプオンするための手段と、
アイドルモードにあるときには第１のレートで、接続モードにあるときには第２のより速いレートで、前記より強いセルからの少なくとも１つの信号に対して干渉消去（ＩＣ）を実行するための手段と
を備える、ワイヤレス通信のための装置。
【請求項３０】
第１のセルからのページを復号するための手段と、
前記ページを復号したことに応答して、異なる第２のセルに接続すべきかどうかを判断するための手段と、
前記ページに応答して、前記判断に少なくとも部分的に基づいて前記第１のセルまたは前記第２のセルに接続するための手段と
を備える、ワイヤレス通信のための装置。
【請求項３１】
より強いセルからの信号を受信するための手段と、
前記より強いセルよりも低い送信電力を有するより弱いセルからの信号を受信するための手段と、
接続モードからアイドルモードに遷移してからの持続時間に少なくとも部分的に基づいて、前記より強いセルにキャンプオンすべきか前記より弱いセルにキャンプオンすべきかを判断するための手段と
を備える、ワイヤレス通信のための装置。
【請求項３２】
サービング基地局ランク値を識別するための手段であって、前記サービング基地局ランク値が受信サービング基地局信号電力とバイアス値とに少なくとも部分的に基づいて判断される、識別するための手段と、
近隣基地局ランク値を識別するための手段であって、前記近隣基地局ランク値が受信近隣基地局信号電力とオフセット値とに少なくとも部分的に基づいて判断される、識別するための手段と、
前記サービング基地局ランク値が前記近隣基地局ランク値よりも小さいとき、サービング基地局から近隣基地局へのハンドオフを開始するための手段と
を備える、ワイヤレス通信のための装置。
【請求項３３】
非一時的プログラムコードを記録した非一時的コンピュータ可読媒体を備える、ワイヤレスネットワークにおけるワイヤレス通信のためのコンピュータプログラム製品であって、前記プログラムコードは、
少なくとも１つのより強いセルからのより強い信号が存在する場合、セル範囲拡大（ＣＲＥ）領域中のより弱いセルにキャンプオンするためのプログラムコードと、
アイドルモードにあるときには第１のレートで、接続モードにあるときには第２のより速いレートで、前記より強いセルからの少なくとも１つの信号に対して干渉消去（ＩＣ）を実行するためのプログラムコードと
を備える、コンピュータプログラム製品。
【請求項３４】
非一時的プログラムコードを記録した非一時的コンピュータ可読媒体を備える、ワイヤレスネットワークにおけるワイヤレス通信のためのコンピュータプログラム製品であって、前記プログラムコードが、
第１のセルからのページを復号するためのプログラムコードと、
前記ページを復号したことに応答して、異なる第２のセルに接続すべきかどうかを判断するためのプログラムコードと、
前記ページに応答して、前記判断に少なくとも部分的に基づいて前記第１のセルまたは前記第２のセルに接続するためのプログラムコードと
を備える、
コンピュータプログラム製品。
【請求項３５】
非一時的プログラムコードを記録した非一時的コンピュータ可読媒体を備える、ワイヤレスネットワークにおけるワイヤレス通信のためのコンピュータプログラム製品であって、前記プログラムコードが、
より強いセルからの信号を受信するためのプログラムコードと、
前記より強いセルよりも低い送信電力を有するより弱いセルからの信号を受信するためのプログラムコードと、
接続モードからアイドルモードに遷移してからの持続時間に少なくとも部分的に基づいて、前記より強いセルにキャンプオンすべきか前記より弱いセルにキャンプオンすべきかを判断するためのプログラムコードと
を備える、
コンピュータプログラム製品。
【請求項３６】
非一時的プログラムコードを記録した非一時的コンピュータ可読媒体を備える、ワイヤレスネットワークにおけるワイヤレス通信のためのコンピュータプログラム製品であって、前記プログラムコードは、
サービング基地局ランク値を識別するためのプログラムコードであって、前記サービング基地局ランク値が受信サービング基地局信号電力とバイアス値とに少なくとも部分的に基づいて判断される、識別するためのプログラムコードと、
近隣基地局ランク値を識別するためのプログラムコードであって、前記近隣基地局ランク値が受信近隣基地局信号電力とオフセット値とに少なくとも部分的に基づいて判断される、識別するためのプログラムコードと、
前記サービング基地局ランク値が前記近隣基地局ランク値よりも小さいとき、サービング基地局から近隣基地局へのハンドオフを開始するためのプログラムコードと
を備える、
コンピュータプログラム製品。
【請求項３７】
メモリと、
前記メモリに結合された少なくとも１つのプロセッサであって、前記少なくとも１つのプロセッサは、
少なくとも１つのより強いセルからのより強い信号が存在する場合、セル範囲拡大（ＣＲＥ）領域中のより弱いセルにキャンプオンすることと、
アイドルモードにあるときには第１のレートで、接続モードにあるときには第２のより速いレートで、前記より強いセルからの少なくとも１つの信号に対して干渉消去（ＩＣ）を実行することと
を行うように構成された、少なくとも１つのプロセッサと
を備える、ワイヤレス通信のための装置。
【請求項３８】
メモリと、
前記メモリに結合された少なくとも１つのプロセッサであって、前記少なくとも１つのプロセッサが、
第１のセルからのページを復号することと、
前記ページを復号したことに応答して、異なる第２のセルに接続すべきかどうかを判断することと、
前記ページに応答して、前記判断に少なくとも部分的に基づいて前記第１のセルまたは前記第２のセルに接続することと
を行うように構成された、少なくとも１つのプロセッサと
を備える、ワイヤレス通信のための装置。
【請求項３９】
メモリと、
前記メモリに結合された少なくとも１つのプロセッサであって、前記少なくとも１つのプロセッサが、
より強いセルからの信号を受信することと、
前記より強いセルよりも低い送信電力を有するより弱いセルからの信号を受信することと、
接続モードからアイドルモードに遷移してからの持続時間に少なくとも部分的に基づいて、前記より強いセルにキャンプオンすべきか前記より弱いセルにキャンプオンすべきかを判断することと
を行うように構成された、少なくとも１つのプロセッサと
を備える、ワイヤレス通信のための装置。
【請求項４０】
メモリと、
前記メモリに結合された少なくとも１つのプロセッサであって、前記少なくとも１つのプロセッサは、
サービング基地局ランク値を識別することであって、前記サービング基地局ランク値が受信サービング基地局信号電力とバイアス値とに少なくとも部分的に基づいて判断される、識別することと、
近隣基地局ランク値を識別することであって、前記近隣基地局ランク値が受信近隣基地局信号電力とオフセット値とに少なくとも部分的に基づいて判断される、識別することと、
前記サービング基地局ランク値が前記近隣基地局ランク値よりも小さいとき、サービング基地局から近隣基地局へのハンドオフを開始することと
を行うように構成された、少なくとも１つのプロセッサと
を備える、ワイヤレス通信のための装置。
【発明の詳細な説明】
【技術分野】
【０００１】
関連出願の相互参照
本出願は、米国特許法第１１９条（ｅ）項の下で、開示全体が参照により本明細書に明確に組み込まれる、２０１１年１０月１４日に出願された「IDLE MODE OPERATION IN HETEROGENEOUS NETWORKS」と題する米国仮特許出願第６１／５４７，６３６号と、２０１１年１１月１０日に出願された「Idle mode operation in heterogeneous networks」と題する米国仮特許出願第６１／５５８，３４２号との利益を主張する。
【０００２】
本開示の態様は、一般にワイヤレス通信システムに関し、より詳細には、ユーザ機器（ＵＥ：user equipment）がマクロセルまたはピコセルにキャンプオンしたときのＵＥアイドルモード挙動に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【発明の概要】
【０００６】
本開示の態様は、アイドルモード挙動を対象とし、特に、より速い応答時間とアイドルモード電力消費量との間の釣り合いをとることを対象とする。
【０００７】
本開示の一態様によれば、ワイヤレス通信のための方法が開示される。本方法は、少なくとも１つのより強いセルからのより強い信号が存在する場合、セル範囲拡大（ＣＲＥ：cell range expansion）領域中のより弱いセルにキャンプオンすることを含む。本方法はまた、アイドルモードにあるときには第１のレートで、接続モードにあるときには第２のより速いレートで、より強いセルからの少なくとも１つの信号に対して干渉消去（ＩＣ：interference cancellation）を実行することを含む。
【０００８】
本開示の別の態様によれば、ワイヤレス通信のための方法が開示され、第１のセルからのページを復号することを含む。本方法はまた、ページを復号したことに応答して、異なる第２のセルに接続すべきかどうかを判断することを含む。本方法はさらに、ページに応答して、判断に少なくとも部分的に基づいて第１のセルまたは第２のセルに接続することを含む。
【０００９】
本開示の別の態様では、ワイヤレス通信のための方法が開示され、より強いセルからの信号を受信することを含む。本方法はまた、より弱いセルからの信号を受信することを含む。より弱いセルは、より強いセルよりも低い送信電力を有する。本方法はさらに、接続モードからアイドルモードに遷移してからの持続時間に少なくとも部分的に基づいて、より強いセルにキャンプオンすべきかより弱いセルにキャンプオンすべきかを判断することを含む。
【００１０】
本開示の一態様によれば、サービング基地局ランク値を識別することを含むワイヤレス通信のための方法が開示される。サービング基地局ランク値は、受信サービング基地局信号電力とバイアス値とに少なくとも部分的に基づいて判断される。本方法はまた、近隣基地局ランク値を識別することであって、近隣基地局ランク値が受信近隣基地局信号電力とオフセット値とに少なくとも部分的に基づいて判断される、識別することを含む。本方法はさらに、サービング基地局ランク値が近隣基地局ランク値よりも小さいとき、サービング基地局から近隣基地局へのハンドオフを開始することを含む。
【００１１】
本開示の別の態様によれば、ワイヤレス通信のための装置は、少なくとも１つのより強いセルからのより強い信号が存在する場合、ＣＲＥ領域中のより弱いセルにキャンプオンするための手段を含む。本装置はまた、アイドルモードにあるときには第１のレートで、接続モードにあるときには第２のより速いレートで、より強いセルからの少なくとも１つの信号に対してＩＣを実行するための手段を含む。
【００１２】
本開示の別の態様によれば、ワイヤレス通信のための装置は、第１のセルからのページを復号するための手段を含む。本装置はまた、ページを復号したことに応答して、異なる第２のセルに接続すべきかどうかを判断するための手段を含む。本装置はさらに、ページに応答して、判断に少なくとも部分的に基づいて第１のセルまたは第２のセルに接続するための手段を含む。
【００１３】
本開示の別の態様によれば、ワイヤレス通信のための装置は、より強いセルからの信号を受信するための手段を含む。本装置はまた、より強いセルよりも低い送信電力を有するより弱いセルからの信号を受信するための手段を含む。本装置はさらに、接続モードからアイドルモードに遷移してからの持続時間に少なくとも部分的に基づいて、より強いセルにキャンプオンすべきかより弱いセルにキャンプオンすべきかを判断するための手段を含む。
【００１４】
本開示の別の態様によれば、ワイヤレス通信のための装置は、サービング基地局ランク値を識別するための手段を含む。サービング基地局ランク値は、受信サービング基地局信号電力とバイアス値とに少なくとも部分的に基づいて判断される。本装置はまた、近隣基地局ランク値を識別するための手段であって、近隣基地局ランク値が受信近隣基地局信号電力とオフセット値とに少なくとも部分的に基づいて判断される、識別するための手段を含む。本装置はさらに、サービング基地局ランク値が近隣基地局ランク値よりも小さいとき、サービング基地局から近隣基地局へのハンドオフを開始するための手段を含む。
【００１５】
本開示の別の態様では、非一時的コンピュータ可読媒体を有するワイヤレスネットワークにおけるワイヤレス通信のためのコンピュータプログラム製品が開示される。コンピュータ可読媒体は、（１つまたは複数の）プロセッサによって実行されたとき、少なくとも１つのより強いセルからのより強い信号が存在する場合、ＣＲＥ領域中のより弱いセルにキャンプオンする動作を実行することを（１つまたは複数の）プロセッサに行わせる非一時的プログラムコードを記録している。プログラムコードはまた、アイドルモードにあるときには第１のレートで、接続モードにあるときには第２のより速いレートで、より強いセルからの少なくとも１つの信号に対して干渉消去を実行することを（１つまたは複数の）プロセッサに行わせる。
【００１６】
本開示の別の態様によれば、非一時的コンピュータ可読媒体を有するワイヤレスネットワークにおけるワイヤレス通信のためのコンピュータプログラム製品が開示される。コンピュータ可読媒体は、（１つまたは複数の）プロセッサによって実行されたとき、第１のセルからのページを復号する動作を実行することを（１つまたは複数の）プロセッサに行わせる非一時的プログラムコードを記録している。プログラムコードはまた、ページを復号したことに応答して、異なる第２のセルに接続すべきかどうかを判断することを（１つまたは複数の）プロセッサに行わせる。プログラムコードはまた、ページに応答して、判断に少なくとも部分的に基づいて第１のセルまたは第２のセルに接続することを（１つまたは複数の）プロセッサに行わせる。
【００１７】
本開示の別の態様では、非一時的コンピュータ可読媒体を有するワイヤレスネットワークにおけるワイヤレス通信のためのコンピュータプログラム製品が開示される。コンピュータ可読媒体は、（１つまたは複数の）プロセッサによって実行されたとき、より強いセルからの信号を受信する動作を実行することを（１つまたは複数の）プロセッサに行わせる非一時的プログラムコードを記録している。プログラムコードはまた、より強いセルよりも低い送信電力を有するより弱いセルからの信号を受信することを（１つまたは複数の）プロセッサに行わせる。プログラムコードはまた、接続モードからアイドルモードに遷移してからの持続時間に少なくとも部分的に基づいて、より強いセルにキャンプオンすべきかより弱いセルにキャンプオンすべきかを判断することを（１つまたは複数の）プロセッサに行わせる。
【００１８】
本開示の別の態様によれば、非一時的コンピュータ可読媒体を有するワイヤレスネットワークにおけるワイヤレス通信のためのコンピュータプログラム製品が開示される。コンピュータ可読媒体は、（１つまたは複数の）プロセッサによって実行されたとき、サービング基地局ランク値を識別する動作を実行することであって、サービング基地局ランク値が受信サービング基地局信号電力とバイアス値とに少なくとも部分的に基づいて判断される、識別する動作を実行することを（１つまたは複数の）プロセッサに行わせる非一時的プログラムコードを記録している。プログラムコードはまた、近隣基地局ランク値を識別することであって、近隣基地局ランク値が受信近隣基地局信号電力とオフセット値とに少なくとも部分的に基づいて判断される、識別することを（１つまたは複数の）プロセッサに行わせる。プログラムコードはまた、サービング基地局ランク値が近隣基地局ランク値よりも小さいとき、サービング基地局から近隣基地局へのハンドオフを開始することを（１つまたは複数の）プロセッサに行わせる。
【００１９】
本開示の別の態様では、ワイヤレス通信のための装置は、メモリと、メモリに結合された（１つまたは複数の）プロセッサとを含む。（１つまたは複数の）プロセッサは、少なくとも１つのより強いセルからのより強い信号が存在する場合、ＣＲＥ領域中のより弱いセルにＵＥをキャンプオンさせるように構成される。（１つまたは複数の）プロセッサはまた、アイドルモードにあるときには第１のレートで、接続モードにあるときには第２のより速いレートで、より強いセルからの少なくとも１つの信号に対して干渉消去を実行するように構成される。
【００２０】
本開示の別の態様によれば、ワイヤレス通信のための装置は、メモリと、メモリに結合された（１つまたは複数の）プロセッサとを含む。（１つまたは複数の）プロセッサは、第１のセルからのページを復号するように構成される。（１つまたは複数の）プロセッサはさらに、ページを復号したことに応答して、異なる第２のセルに接続すべきかどうかを判断するように構成される。（１つまたは複数の）プロセッサはさらに、ページに応答して、判断に少なくとも部分的に基づいて第１のセルまたは第２のセルに接続するように構成される。
【００２１】
本開示の別の態様によれば、ワイヤレス通信のための装置は、メモリと、メモリに結合された（１つまたは複数の）プロセッサとを含む。（１つまたは複数の）プロセッサは、より強いセルからの信号を受信するに構成される。（１つまたは複数の）プロセッサはさらに、より強いセルよりも低い送信電力を有するより弱いセルからの信号を受信するように構成される。（１つまたは複数の）プロセッサはさらに、接続モードからアイドルモードに遷移してからの持続時間に少なくとも部分的に基づいて、より強いセルにキャンプオンすべきかより弱いセルにキャンプオンすべきかを判断するように構成される。
【００２２】
本開示の別の態様によれば、ワイヤレス通信のための装置は、メモリと、メモリに結合された（１つまたは複数の）プロセッサとを含む。（１つまたは複数の）プロセッサは、サービング基地局ランク値を識別することであって、サービング基地局ランク値が受信サービング基地局信号電力とバイアス値とに少なくとも部分的に基づいて判断される、識別することを行うように構成される。（１つまたは複数の）プロセッサはさらに、近隣基地局ランク値を識別することであって、近隣基地局ランク値が受信近隣基地局信号電力とオフセット値とに少なくとも部分的に基づいて判断される、識別することを行うように構成される。（１つまたは複数の）プロセッサはさらに、サービング基地局ランク値が近隣基地局ランク値よりも小さいとき、サービング基地局から近隣基地局へのハンドオフを開始ように構成される。
【００２３】
以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００２４】
本開示の特徴、特性、および利点は、全体を通じて同様の参照符号が同様のものを指す図面とともに、以下に記載する発明を実施するための形態を読めばより明らかになろう。
【図面の簡単な説明】
【００２５】
【図１】ネットワークアーキテクチャの一例を示す図。
【図２】アクセスネットワークの一例を示す図。
【図３】ＬＴＥにおけるダウンリンクフレーム構造の一例を示す図。
【図４】ＬＴＥにおけるアップリンクフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】本開示の一態様による、異種ネットワークにおける適応リソース区分を概念的に示すブロック図。
【図８Ａ】ＬＴＥワイヤレスネットワークのマクロセルエリア内の異なるサイズのセル範囲拡大領域を概念的に示す図。
【図８Ｂ】ＬＴＥワイヤレスネットワークのマクロセルエリア内の異なるサイズのセル範囲拡大領域を概念的に示す図。
【図９】ＬＴＥワイヤレスネットワークのマクロセルエリア内のピコセルを概念的に示す図。
【図１０】アイドルモード動作を示す流れ図。
【図１１Ａ】異種ネットワークにおけるアイドルモード動作のための方法を示すブロック図。
【図１１Ｂ】異種ネットワークにおけるアイドルモード動作のための方法を示すブロック図。
【図１１Ｃ】異種ネットワークにおけるアイドルモード動作のための方法を示すブロック図。
【図１１Ｄ】異種ネットワークにおけるアイドルモード動作のための方法を示すブロック図。
【図１２】例示的な装置中の異なるモジュール／手段／構成要素間のデータフローを示す概念的データフロー図。
【図１３】例示的な装置中の異なるモジュール／手段／構成要素間のデータフローを示す概念的データフロー図。
【図１４】例示的な装置中の異なるモジュール／手段／構成要素間のデータフローを示す概念的データフロー図。
【図１５】例示的な装置中の異なるモジュール／手段／構成要素を示すブロック図。
【発明を実施するための形態】
【００２６】
添付の図面に関して以下に記載する発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２７】
様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００２８】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、ディスクリートハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２９】
したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００３０】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００３１】
Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３２】
ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００３３】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００３４】
アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００３５】
ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００３６】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３７】
以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３８】
図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３９】
図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、単一のＵＥがデータセクション中の連続サブキャリアのすべてに割り当てられることを可能にし得る、連続サブキャリアを含むデータセクションを生じる。
【００４０】
ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００４１】
初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００４２】
図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００４３】
ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００４４】
ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００４５】
制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００４６】
図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５はＬ２レイヤの機能を実装する。ダウンリンクでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４７】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４８】
ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００４９】
コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。アップリンクでは、制御／プロセッサ６５９は、コアネットワークからの上位レイヤパケットを復元するために、トランスポートチャネルと論理チャネルとの間の多重分離と、パケット再統合と、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００５０】
アップリンクでは、データソース６６７が、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００５１】
ｅノードＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００５２】
アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００５３】
コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。アップリンクでは、制御／プロセッサ６７５は、ＵＥ６５０からの上位レイヤパケットを復元するために、トランスポートチャネルと論理チャネルとの間の多重分離と、パケット再統合と、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。異種ネットワーク
同種ネットワークは、基地局のすべてが同様の送信電力レベル、アンテナパターン、受信機雑音フロアと、データネットワークに対する同様のバックホール接続性とを有する、計画配置における基地局とユーザ端末の集合とのネットワークである。異種ネットワークは、異なる電力レベルをもつ基地局を含む。たとえば、３つの電力クラスが、電力クラスの高いものから順に、マクロｅノードＢ、ピコｅノードＢ、およびフェムトｅノードＢとして定義され得る。マクロｅノードＢとピコｅノードＢとフェムトｅノードＢとが同一チャネル展開中にあるとき、マクロｅノードＢ（アグレッサｅノードＢ）の電力スペクトル密度（ＰＳＤ：power spectral density）は、ピコｅノードＢおよびフェムトｅノードＢ（ビクティムｅノードＢ）のＰＳＤよりも大きくなり、ピコｅノードＢおよびフェムトｅノードＢとの大量の干渉を生じ得る。ピコｅノードＢおよびフェムトｅノードＢとの干渉を低減するかまたは最小限に抑えるために、保護サブフレームが使用され得る。すなわち、アグレッサｅノードＢ上の禁止サブフレームに対応するように、ビクティムｅノードＢに対して保護サブフレームがスケジュールされ得る。
【００５４】
異種ネットワークの動作において、各ＵＥは一般に、最も強い受信ダウンリンク電力をもつセルに関連する。特に、各ＵＥは、通常、より良い信号品質をもつｅノードＢ１１０によってサービスされ、他のｅノードＢから受信された不要な信号は干渉として扱われる。そのような動作原理は、かなり準最適なパフォーマンスをもたらすことがあるが、ｅノードＢ間のインテリジェントリソース協調と、より良いサーバ選択ストラテジーと、効率的な干渉管理のためのより高度の技法とを使用することによって、ワイヤレスネットワークにおいてネットワークパフォーマンスの利得が実現される。
【００５５】
ピコｅノードＢは、マクロｅノードＢと比較されたとき、大幅により低い送信電力によって特徴づけられる。ピコｅノードＢはまた、通常、ネットワークの周りにアドホックに配置される。この無計画展開のために、ピコｅノードＢ配置をもつワイヤレスネットワークは、カバレージエリアまたはセルのエッジ上のＵＥ（「セルエッジ」ＵＥ）への制御チャネル送信のためのより困難な無線周波数（ＲＦ）環境に役立つことができる、低信号対干渉状態をもつ大きいエリアを有することが予想され得る。その上、マクロｅノードＢの送信電力レベルとピコｅノードＢの送信電力レベルとの間の潜在的に大きい格差（たとえば、約２０ｄＢ）は、混合展開において、ピコｅノードＢのダウンリンクカバレージエリアがマクロｅノードＢのダウンリンクカバレージエリアよりもはるかに小さくなることを暗示する。
【００５６】
しかしながら、アップリンクの場合、アップリンク信号の信号強度は、ＵＥによって支配され、したがって、どのタイプのｅノードＢ（たとえば、マクロｅノードＢ、ピコｅノードＢなど）によって受信されたときでも同様になる。異なるｅノードＢのためのアップリンクカバレージエリアがほぼ同じまたは同様であれば、チャネル利得に基づいてアップリンクハンドオフ境界が判断されることになる。これは、ダウンリンクハンドオーバ境界とアップリンクハンドオーバ境界との間の不一致をもたらし得る。追加のネットワーク適応がなければ、不一致により、ワイヤレスネットワークにおけるサーバ選択またはｅノードＢへのＵＥの関連付けは、ダウンリンクハンドオーバ境界とアップリンクハンドオーバ境界とがより厳密に一致するマクロｅノードＢ専用同種ネットワークにおけるよりも困難になるであろう。
【００５７】
ＬＴＥリリース８規格において与えられているように、サーバ選択が主にダウンリンク受信信号強度に基づく場合、異種ネットワークの混合ｅノードＢ展開の有用性は大幅に低下し得る。この理由は、マクロｅノードＢのより高いダウンリンク受信信号強度は、利用可能なすべてのＵＥを引きつけるが、ピコｅノードＢはそれのはるかに弱いダウンリンク送信電力のためにどのＵＥをもサービスしないことがあるので、より高電力のマクロｅノードＢのより大きいカバレージエリアが、ピコｅノードＢを用いてセルカバレージを分割することの利点を制限するからである。その上、マクロｅノードＢは、それらのＵＥを効率的にサービスするために十分なリソースを有しない可能性がある。したがって、ワイヤレスネットワークは、ピコｅノードＢのカバレージエリアを拡大することによってマクロｅノードＢと（１つまたは複数の）ピコｅノードＢとの間で負荷をアクティブに分散させることを試みる。この概念は範囲拡張と呼ばれる。
【００５８】
ワイヤレスネットワークは、サーバ選択が判断される方法を変更することによって範囲拡張を達成することができる。サーバ選択がダウンリンク受信信号強度に基づく代わりに、選択はダウンリンク信号の品質に一層基づく。１つのそのような品質ベースの判断では、サーバ選択は、ＵＥへの最小の経路損失を与えるｅノードＢを判断することに基づき得る。さらに、ワイヤレスネットワークは、マクロｅノードＢとピコｅノードＢとの間で均等にリソースの固定区分を行い得る。しかしながら、このアクティブな負荷分散を伴う場合でも、ピコｅノードＢによってサービスされるＵＥに対するマクロｅノードＢからのダウンリンク干渉は緩和されるべきである。これは、ＵＥにおける干渉消去、ｅノードＢ間のリソース協調などを含む、様々な方法によって達成され得る。
【００５９】
範囲拡張を用いた異種ネットワークでは、干渉を管理し、高電力ｅノードＢ（たとえば、マクロｅノードＢ）から送信されるより強いダウンリンク信号の存在下で、ＵＥが低電力ｅノードＢ（たとえば、ピコｅノードＢ）からのサービスを取得することを可能にするために、干渉調整のための様々な技法が採用され得る。たとえば、同一チャネル展開中のセルからの干渉を低減するために、セル間干渉協調（ＩＣＩＣ：inter-cell interference coordination）が使用され得る。１つのＩＣＩＣ機構は適応リソース区分である。適応リソース区分は、いくつかのｅノードＢにサブフレームを割り当てる。第１のｅノードＢに割り当てられたサブフレーム中では、ネイバーｅノードＢが送信しない。したがって、第１のｅノードＢによってサービスされるＵＥが受ける干渉が低減される。サブフレーム割当ては、アップリンクとダウンリンクの両方のチャネル上で実行され得る。
【００６０】
たとえば、サブフレームは、保護サブフレーム（Ｕサブフレーム）と、禁止サブフレーム（Ｎサブフレーム）と、共通サブフレーム（Ｃサブフレーム）とのサブフレームの３つのクラスの間で割り振られ得る。保護サブフレームは、第１のｅノードＢによって排他的に使用するために第１のｅノードＢに割り当てられる。保護サブフレームは、近隣ｅノードＢからの干渉がないことに基づいて「クリーン」サブフレームと呼ばれることもある。禁止サブフレームはネイバーｅノードＢに割り当てられたサブフレームであり、第１のｅノードＢは、禁止サブフレーム中でデータを送信することを禁止される。たとえば、第１のｅノードＢの禁止サブフレームは、第２の干渉ｅノードＢの保護サブフレームに対応し得る。したがって、第１のｅノードＢは、第１のｅノードＢの保護サブフレーム中でデータを送信する唯一のｅノードＢである。共通サブフレームは、複数のｅノードＢによってデータ送信のために使用され得る。共通サブフレームは、他のｅノードＢからの干渉の可能性があるため、「非クリーン」サブフレームと呼ばれることもある。
【００６１】
期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅノードＢに静的に割り当てられ得る。他のサブフレームが動的に割り振られ得る。
【００６２】
適応リソース区分情報（ＡＲＰＩ：adaptive resource partitioning information）は、非静的に割り当てられたサブフレームが動的に割り振られることを可能にする。保護サブフレーム、禁止サブフレーム、または共通サブフレームのいずれも動的に割り振られ得る（それぞれ、ＡＵサブフレーム、ＡＮサブフレーム、ＡＣサブフレーム）。動的割当ては、たとえば、１００ミリ秒ごとにまたはそれ以下などで、迅速に変化し得る。
【００６３】
図７は、本開示の一態様による、異種ネットワークにおけるサブフレーム区分を示すブロック図である。ブロックの第１の行はフェムトｅノードＢのためのサブフレーム割当てを示し、ブロックの第２の行はマクロｅノードＢのためのサブフレーム割当てを示している。ｅノードＢの各々は静的保護サブフレームを有し、その静的保護サブフレームの間、他方のｅノードＢは静的禁止サブフレームを有する。たとえば、フェムトｅノードＢは、サブフレーム０中の禁止サブフレーム（Ｎサブフレーム）に対応するサブフレーム０中の保護サブフレーム（Ｕサブフレーム）を有する。同様に、マクロｅノードＢは、サブフレーム７中の禁止サブフレーム（Ｎサブフレーム）に対応するサブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。動的に割り当てられたサブフレーム（ＡＵ／ＡＮ／ＡＣ）を本明細書ではまとめて「Ｘ」サブフレームと呼ぶ。サブフレーム５および６中の動的に割り当てられた共通サブフレーム（ＡＣ）中に、フェムトｅノードＢとマクロｅノードＢの両方がデータを送信し得る。
【００６４】
（Ｕ／ＡＵサブフレームなどの）保護サブフレームでは、アグレッサｅノードＢが送信を禁止されるので、干渉が低減され、チャネル品質が高い。（Ｎ／ＡＮサブフレームなどの）禁止サブフレームでは、ビクティムｅノードＢが低い干渉レベルでデータを送信できるように、データが送信されない。（Ｃ／ＡＣサブフレームなどの）共通サブフレームでは、チャネル品質は、データを送信するネイバーｅノードＢの数に依存する。たとえば、ネイバーｅノードＢが共通サブフレーム上でデータを送信している場合、共通サブフレームのチャネル品質は保護サブフレームよりも低くなり得る。共通サブフレーム上のチャネル品質はまた、アグレッサｅノードＢによって強く影響を受けるセル範囲拡大エリア（ＣＲＥ）ＵＥではより低くなり得る。ＣＲＥ  ＵＥは、第１のｅノードＢに属し得るが、第２のｅノードＢのカバレージエリア中にも位置し得る。たとえば、フェムトｅノードＢカバレージの範囲限界の近くにあるマクロｅノードＢと通信しているＵＥは、ＣＲＥ  ＵＥである。
【００６５】
ＬＴＥ／−Ａにおいて採用され得る別の例示的な干渉管理方式は、低速適応（slowly-adaptive）干渉管理である。この手法を干渉管理に使用すると、スケジューリング間隔よりもはるかに大きい時間スケールにわたってリソースがネゴシエートされ、割り振られる。本方式の目的は、ネットワークの総ユーティリティを最大にする、時間または周波数リソースのすべてにわたる、送信ｅノードＢおよびＵＥのすべてのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報のすべてにアクセスでき、たとえばネットワークコントローラ１３０（図１）などの送信エンティティのすべてを制御する中央エンティティによって計算され得る。この中央エンティティは、常に実際的であるとは限らず、さらには望ましいとは限らないことがある。したがって、代替態様では、ノードのあるセットからのチャネル情報に基づいてリソース使用状況決定を行う分散アルゴリズムが使用され得る。したがって、低速適応干渉アルゴリズムは、中央エンティティを使用して、またはネットワーク中のノード／エンティティの様々なセットにわたってアルゴリズムを分散させることによって、展開され得る。
【００６６】
ワイヤレスネットワーク１００など、異種ネットワークの展開では、ＵＥは、ＵＥが１つまたは複数の干渉ｅノードＢからの高い干渉を観測し得る支配的干渉シナリオにおいて動作し得る。支配的干渉シナリオは、制限された関連付けにより発生し得る。
【００６７】
そのような支配的干渉シナリオでは、ＵＥと複数のｅノードＢとの間の距離が異なるために、ＵＥにおいて観測される信号電力の相異に加えて、同期システム中でもＵＥによってダウンリンク信号のタイミング遅延も観測され得る。同期システム中のｅノードＢは、推論上、システムにわたって同期される。しかしながら、たとえば、マクロｅノードＢから５ｋｍの距離にあるＵＥについて考察すると、そのマクロｅノードＢから受信されたダウンリンク信号の伝搬遅延は約１６．６７μｓ（５ｋｍ÷３×１０８、すなわち、光速「ｃ」）遅延されるであろう。マクロｅノードＢからのそのダウンリンク信号を、はるかに近いフェムトｅノードＢからのダウンリンク信号と比較すると、タイミング差は時間トラッキングループ（ＴＴＬ：time tracking loop）エラーのレベルに近づくことがある。
【００６８】
さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が判断され、干渉と区別され得、したがって、干渉が消去されることが可能になる。
【００６９】
バイアスおよびセル範囲拡大エリア
ＵＥがセル範囲拡大（ＣＲＥ）領域中にあるとき、マクロセルから受信される信号がはるかにより強くても、ＵＥはピコセルに割り当てられる。ＵＥがこれらの条件下でピコセルに接続するように要請されたときの、ｄＢ単位でのマクロセルの受信電力とピコセルの受信電力との間の差は、「バイアス」と呼ばれる。ＵＥおよび／またはｅノードＢは、接続を確立する前に、バイアス、ならびに異なるセルに対する負荷およびそれらのセル間のリソース区分などの他の側面を考慮し得る。バイアスのこの定義を使用すると、範囲拡大領域は、ピコセルの受信電力がマクロの受信電力よりも小さいが、差（ｄＢ単位のマクロ電力  −ｄＢ単位のピコ電力）がバイアスよりも小さい領域として記述され得る。したがって、バイアスのサイズはＣＲＥ領域を定義し得、すなわち、バイアスが大きくなるとＣＲＥ領域が大きくなる傾向があり、バイアスが小さくなるとＣＲＥ領域が小さくなる傾向がある。
【００７０】
たとえば、図８Ａに、マクロセル基地局８００によってサービスされるマクロセル８０１を有するワイヤレスネットワーク８３０ａを示す。ピコセル８０３は、マクロセル８０１のカバレージエリア内にオーバーレイされる。ワイヤレスネットワーク８３０ａはセル範囲拡大をサポートし、ピコ基地局８０２のカバレージは、ピコセル８２３ａのより大きいカバレージエリア（すなわち、セル範囲拡大領域８２３ａ）に拡大される。ＵＥ８２４は、マクロセル８０１内に、また拡大ピコセル８２３ａ内に位置し、ピコ基地局８０２との通信を維持する。
【００７１】
図８Ｂに、マクロセル基地局８００によってサービスされるマクロセル８０１を有するワイヤレスネットワーク８３０ｂを示す。ピコセル８０３は、マクロセル８０１のカバレージエリア内にオーバーレイされる。ワイヤレスネットワーク８３０ｂはセル範囲拡大をサポートし、ピコ基地局８０２のカバレージは、ピコセル８２３ｂのより大きいカバレージエリアに拡大される。ＵＥ８２４は、マクロセル８０１内に、また拡大ピコセル８２３ｂ（セル範囲拡大領域８２３ｂ）内に位置する。ただし、（図８Ｂの）セル範囲拡大領域８２３ｂは（図８Ａの）セル範囲拡大領域８２３ａよりも小さい。
【００７２】
そのようなシナリオにおいて通信を可能にする１つの設計は、同期信号と物理ブロードキャストチャネル（ＰＢＣＨ：physical broadcast channel）とが衝突するように同期ネットワークを使用することである。より弱いピコセルの検出を可能にするためにマクロセルからのより強い信号を消去するために、ＰＳＳ／ＳＳＳ  ＩＣおよびＰＢＣＨ  ＩＣなど、干渉消去（ＩＣ）が使用され得る。
【００７３】
上述したように、ＣＲＥ領域中で通信することが、マクロセルとピコセルとの間のリソース区分を介してさらに可能にされ得る。リソース区分では、マクロセルはいくつかのサブフレームをクリアし、保護サブフレームを作成する（たとえば、マクロセルは、そのサブフレームのために必須でない信号を送信しない）。ピコセルは、クリアされたサブフレーム上でそれのＣＲＥ  ＵＥにデータを送信し得、それらのサブフレーム上ではより強い基地局からの干渉が最小であるかまたはまったくない。干渉消去は、共通基準信号（ＣＲＳ：common reference signal）などから残差干渉を除去するために使用され得る。
【００７４】
図９を参照すると、ブロック図が、ワイヤレスネットワーク９３０内のマクロセル９０１を概念的に示している。マクロ基地局９００はマクロセル９０１をサービスする。ピコ基地局９０２はピコセル９０３をサービスし、ピコ基地局９０５はピコセル９０６をサービスする。ピコセル９０３および９０６はマクロセル９０１のカバレージエリア内にオーバーレイされる。図９にはマクロセル９０１のみが示されているが、ワイヤレスネットワーク９３０は、マクロセル９０と同様の複数のマクロセルを含み得る。
【００７５】
ピコ基地局９０５は０のバイアスを有するが、基地局９０２は０よりもかなり大きいバイアスを有する。ＵＥ９０７は、マクロセル９０１内に、またピコセル９０６内に位置する。ＵＥ９０７は、マクロ基地局９００からの干渉９１０を受信しながら、ピコ基地局９０５と通信する。ＵＥ９０４は、マクロセル９０１内に、またピコセル９０３内に位置する。ＵＥ９０４は、マクロ基地局９００からの干渉９０９を受信しながら、ピコ基地局９０２との通信を維持する。ワイヤレスネットワーク９３０はセル範囲拡大をサポートし、ピコ基地局９０２のカバレージは、ピコセル９２３のより大きいカバレージエリアに拡大される。ＵＥ９２４は、マクロセル９０１内に、また拡大ピコセル９２３内に位置する。ＵＥ９０４は、マクロ基地局９００からの干渉９２９を受信しながら、ピコ基地局９０２との通信９２８を維持する。
【００７６】
アイドルモード挙動およびＨｅｔＮｅｔ
本開示の一態様は、ＵＥがマクロセルまたはピコセルにキャンプオンしたときのＵＥのアイドルモード挙動を対象とし、特に、ＵＥのモードに基づいて干渉消去を調整することを対象とする。ｅノードＢおよび／またはＵＥが送信すべきデータを有しないとき、無線リソース制御（ＲＲＣ）アイドルモードが使用される。アイドルモードはＵＥのスタンバイ時間に影響を及ぼす。アイドルモードでは、ＵＥは探索、測定、ＰＢＣＨ復号、およびＳＩＢ１監視を実行する。ＵＥはまた、ページングサイクルごとに（たとえば、１．２８秒ごとに）ＰＤＣＣＨを復号する。ＵＥのためのページを受信すると、または送信すべきアップリンクデータをＵＥが有するとき、ＵＥは、それのサービングセルに接続するためにランダムアクセスチャネル（ＲＡＣＨ：random access channel）プロシージャを開始し、無線リソース制御（ＲＲＣ）接続状態に遷移する。
【００７７】
ＲＲＣ接続状態はまた、無線リソース制御（ＲＲＣ）接続モードおよびＲＲＣ接続モードＤＲＸ（不連続受信（discontinuous reception））を含む。ＲＲＣ接続モードは、ＵＥがデータを受信しているモードである。このモードでは、ＵＥは、サブフレームを監視し、モビリティプロシージャを実行などする。ｅノードＢがＵＥのためのデータ送信を予想しない場合、ＵＥはアイドルモードに遷移することを要求され得る。ＲＲＣ接続モードＤＲＸは、接続モード内の電力節約モードである。このモードでは、ＵＥは、サブフレームのサブセット上でＰＤＣＣＨのみを監視し、ＰＤＳＣＨ／ＰＵＳＣＨに対応するＰＤＣＣＨを受信するとＲＲＣ接続モードに切り替わる。
【００７８】
セルラーネットワークが所与のＵＥをページングするとき、ページは、ページングエリア（たとえば、トラッキングエリアグループ）中のいくつかのセルによって送られ得る。したがって、ＵＥが同じページングエリア中のセル間を移動するとき、ＵＥはページングエリア内の基地局に通知する必要がない。しかしながら、ＵＥが、前のページングエリア外の新しいページングエリア中の新しいセルに移動すると、ＵＥは、ＵＥへのページが適切にルーティングされることを保証するために、その新しいセルをサービスしているｅノードＢに通知する。ＵＥは、接続モードに切り替わり、新しいｅノードＢに対してランダムアクセス制御チャネル（ＲＡＣＨ：random access control channel）を開始することによって移動を示す。ＵＥは、次いで、新しいｅノードＢによってアイドルモードに切り替え復帰することを要求されたとき、アイドルモードに切り替え復帰し得る。
【００７９】
本開示の一態様では、ＣＲＥ領域中にある間、ＵＥは、ピコセルにキャンプオンするように構成されるか、または最も強いセル（たとえば、マクロセル）にキャンプオンするように構成され得る。さらに、ＵＥは、セル（たとえば、ピコセルまたは最も強いセル）のいずれかにキャンプオンするように構成され得る。
【００８０】
一構成では、ＵＥは、範囲セル拡大領域中のピコセルにキャンプオンする。この構成は、ＵＥがピコセルを直接ＲＡＣＨすることができるように、ＵＥがアイドルモードから接続モードに切り替わるためのできるだけ速い応答時間を与える。ＵＥは、極めて弱いピコセルを含む、ＵＥの近傍にあるすべてのセルを監視し、したがって、より多くの電力を消費することになる。たとえば、ＵＥは、アイドルモードにおけるＵＥの通常の探索および測定動作に加えて、ＰＳＳ／ＳＳＳ干渉消去（ＩＣ）、ＰＢＣＨ干渉消去、および／またはＣＲＳ干渉消去を実行し得る。一態様では、ＵＥは、ＵＥが接続モードにあるときとは異なるレートで干渉消去動作を実行し得る。たとえば、ＵＥは、アイドルモードにあるとき、より低い頻度で干渉消去動作を実行し得る。
【００８１】
別の構成では、ＵＥは最も強いセルにキャンプオンする。特に、ＵＥは、（リリース８の場合のように）最も強いセルを監視する。この構成では、ＵＥは、アイドルモードにおいて干渉消去動作を実行しない。ページを受信すると、またはＵＥがアップリンクデータを有するとき、ＵＥは、以下のプロシージャのうちの１つを使用する。
【００８２】
１つのプロシージャでは、ＵＥは、最初に、最も強いセルに接続する。ＵＥは、場合によってはＰＳＳ／ＳＳＳ／ＰＢＣＨ干渉消去を使用して、より弱いセルを探す。適切なより弱いセルが見つかった場合、ＵＥは、次いで、より弱いセルにハンドオフする。これは、ＣＲＥ  ＵＥがアイドルモードから接続モードに切り替わるたびにハンドオフが行われるので、ネットワーク中のハンドオフ動作の増加をもたらし得る。
【００８３】
第２のプロシージャでは、ページを受信すると、ＵＥは、より弱いセルを含む、近傍にあるすべてのセルを検出するために干渉消去動作を実行する。次いで、ＵＥは、ＵＥが最終的にそれに接続すべきセル（たとえば、範囲拡大領域中のピコセル、他の領域中の最も強いセル）に直接ＲＡＣＨする。直接ＲＡＣＨは、前のプロシージャのハンドオフ問題を回避するが、ＵＥは好適なより弱いセルがあるかどうかを検出するので、ページに応答するための（すなわち、ＲＡＣＨがトリガされ得る前の）時間がより長い。したがって、ページに応答するための時間が延長され得る。したがって、より弱いセルを探索し、好適なより弱いセルが見つかった場合により弱いセルにＲＡＣＨを送るように要求されるＵＥは、ページングについてＵＥが監視していたセルに接続するように要求されるＵＥよりも、ページに応答するためにより多くの時間を与えられる。さらに、ＵＥは、それがページを受信したセルとは異なるセルにＲＡＣＨを実行していることがある。
【００８４】
第２のプロシージャの一態様は干渉消去タイムラインに関係する。特に、接続モードにあるＵＥは、電力消費量と検出時間との釣り合いをとるために、４０ｍｓごとに１回など、あるデューティサイクルでＰＳＳ／ＳＳＳ干渉消去を実行し得る。アイドルモードから接続モードに遷移する際に、より速い検出時間が実装され得る。さらに、ＵＥは依然としてアイドルモードにあるので、ＵＥプロセッサが軽負荷になる可能性がある。ページへの応答時間を改善するために、この遷移期間中に、ＰＳＳ／ＳＳＳ  ＩＣ、ＰＢＣＨ  ＩＣ、測定、ＣＲＳ  ＩＣなどがより高いデューティサイクルで実行され得る。たとえば、遷移期間中に干渉消去が５ｍｓごとに行われ得る。
【００８５】
多くのシナリオでは、ＵＥは、アイドルモードに切り替わった少し後に、接続モードに切り替え復帰する可能性がある。しかしながら、ＵＥが延長時間期間にわたってアイドルモードであった場合、ＵＥはアイドルモードのままであり続ける可能性がある。ＵＥが接続モードからアイドルモードに切り替わった直後に、ある時間量（Ｔ）の間、より弱いセル（たとえば、ピコセル）にキャンプオンするようにＵＥを構成し、ＵＥが時間Ｔを越えてアイドルモードのままである場合、より強いセルにキャンプオンすることに切り替わることは、アイドル状態に遷移する弱いセルに接続されたＵＥにとって有益であり得る。この構成は、より速い応答時間とアイドルモード電力消費量との間の釣合いを与える。ＵＥが時間Ｔ内にページを受信するかまたは接続モードに切り替え復帰することを望む場合、ＵＥはより弱いセルに直接ＲＡＣＨし、速い応答時間を生じることができる。一例を図１０に示しており、ブロック１００２においてタイマーを初期化する。ブロック１００４において、ＵＥはより弱いセルにキャンプオンする。ブロック１００６は、時間Ｔが経過したかどうかを判断する。ＹＥＳ、すなわち、時間Ｔが経過したと判断された場合、ブロック１００８において、ＵＥはより強いセルにキャンプオンする。代わりに、ブロック１００６において、ＮＯ、すなわち、時間Ｔが経過していないと判断された場合、プロセスはブロック１００４に戻るように向けられ、ＵＥはより強いセルにキャンプオンする。
【００８６】
さらに、上記で説明したＵＥ構成は、すべてのＵＥがより強いセルのみにキャンプオンしている場合に観測される頻繁なハンドオーバ問題を緩和する。ＵＥが時間Ｔの前に接続モードに遷移すべき必要を識別しない場合、ＵＥは、より強いセルにキャンプオンし始める。したがって、ＵＥがより強いセルにキャンプオンし始めた後に、ＵＥが弱いセルを識別するためにＳＳＳ干渉消去（ＩＣ）またはＣＲＳ  ＩＣなどの探索および測定プロシージャを実行することを回避することが可能になるので、ＵＥは電力を節約する。
【００８７】
一態様では、持続時間Ｔはネットワーク構成される。代替的に、持続時間ＴはＵＥにおいて自律的に判断され得る。ＵＥが、範囲拡張をサポートするセルによってサービスされている場合、ＵＥは非０時間Ｔを使用し得る。一構成では、持続時間Ｔは、ＵＥがより弱いセルを依然として監視している間、より弱いセルがＵＥをページングする機会を有するように選択される。Ｔをページング周期性よりも大きく設定することにより、少なくとも１つのそのような機会を有することが保証される。
【００８８】
一態様では、ＵＥが少量のデータをまれに受信しているとき、ＵＥはより強いセル（たとえば、マクロセル）によって迅速にサービスされ得るので、ＵＥがより弱いセル（たとえば、ピコセル）に接続することはあまり効率的でない。より弱いセルに切り替わるためのオーバーヘッド／電力消費量は、より弱いセルに切り替わることを非効率的にし得る。しかしながら、ＵＥが送信／受信すべき大量のデータを有する場合、ＵＥがピコセルに移動することはより効率的であり得る。
【００８９】
ＵＥは、それがより弱いセルを探すときにＣＲＥ有効モードで動作するか、またはＵＥがはるかに弱いセルをそれにより探さないＣＲＥ無効モードで動作し得ることを、当業者は諒解されよう。そのようなモードは、基地局によって構成されるか、またはＵＥによって自律的に判断され得る。
【００９０】
本開示の別の態様では、ページング中断時間がページングサイクルの関数である。ページングサイクルは、ＵＥがページについてＰＤＣＣＨを監視するデューティサイクルを指す。ページング中断時間は、ＵＥが（たとえば、ＲＡＣＨを送ることによって）その中でページに応答しなければならない、ページを受信した後の最大許容遅延を指す。たとえば、遅延が重要でない適用例では、ＵＥは、２．５秒ごとに１回など、低いレートでページを受信するように構成され得る。ここで、ページに応答するための許容遅延は、ＵＥが迅速に応答することが予想される適用例の許容遅延よりも大きくなり得る。遅延は重要でないので、追加の遅延はパフォーマンスに影響を及ぼさないことがある。一方、より迅速な応答に関連する適用例では、ＵＥは、１６０ｍｓごとになど、より高いレートでページを受信するように一般に構成され得、遅延が重要であるので、ＵＥはページに迅速に応答することが望ましいであろう。より長いページングサイクルではより大きいページング中断時間を可能にし、より短いページングサイクルではより小さいページング中断時間を可能にすることにより、パフォーマンスにほとんど影響を及ぼすことなしにページに応答する際のフレキシビリティが提供され得る。
【００９１】
いくつかの適用例では、ある量の遅延（たとえば、３秒）は許容できるがそれを超えると許容できない場合、２．５秒など、低デューティレートページングサイクルではより速い応答時間が予想され得るが、１６０または３２０ｍｓなど、より高いデューティレートのページングサイクルではより低い応答時間が許容でき得る。
【００９２】
ハンドオフバイアス、オフセット、およびＨｅｔＮｅｔ
一例では、ページングエリアは、特定の数（たとえば、４つまたは５つ）のマクロセルを含むように定義される。特定のページングエリアに属する基地局のすべてはＵＥにページを送る。ＵＥが同じページングエリア内にある限り、ＵＥは、セル間を移動するときに基地局に通知しない。ＵＥがセル間を移動するとき、ＵＥは最も強いセルを探す。最も強いセルが同じページングエリア内にある場合、ＵＥは最も強いセルからのページを探し、受信する。ＵＥが異なるページングエリアに移動したとき、ＵＥは、接続を確立し、古いページングエリアから新しいページングエリアにＵＥが移動したことを新しいページングエリア中のセルを通知する。ＵＥは、次いで、新しいページングエリア中のマクロセルからページを受信する。ページングエリアは、複数のマクロセルではなく１つのマクロセルを含んでいることがあることを、当業者は諒解されよう。ページングエリア中のすべてのセルがＵＥにページを送り、したがって、ページングエリアが大きくなるほど、ＵＥに連絡するためにより多くのページが送られ得る。
【００９３】
異なるセルは、どのセルが最も強いセルであるかをＵＥが判断することができるようにランク付けされる。一構成では、セルは基準信号受信電力（ＲＳＲＰ：reference signal received power）に従ってランク付けされる。セルがより高いＲＳＲＰを有する場合、それは、そのセルがより強いセルであることを示す。サービングセルのためのセルランク付け基準Ｒｓと、近隣セルのためのセルランク付け基準Ｒｎとは次式によって定義される。
【数１】
2014534703.tif 000003
【数２】
2014534703.tif 000004
【００９４】
Ｑｍｅａｓは、セル再選択において使用されるＲＳＲＰ測定量である。Ｑｍｅａｓ，ｓはサービングセルのためのＱｍｅａｓに対応し、Ｑｍｅａｓ，ｎは近隣セルのためのＱｍｅａｓに対応する。ＱＨｙｓｔは、不要または過大なハンドオフの尤度を低減するためにサービングセルを選好するバイアスを表し得る。代替的に、ＱＨｙｓｔは変数であり得る。たとえば、可変バイアスは、ＵＥをサービスしているセルのタイプに応じて、または他の考慮事項に基づいて正または負であり得る。そのような可変バイアスは、低電力セル（たとえば、ピコセル、フェムトセルまたはマイクロセル）への早いハンドオフと、高電力セル（たとえば、マクロセル）への遅いハンドオフとを促進し得る。周波数内では、Ｑｏｆｆｓｅｔｓは、Ｑｏｆｆｓｅｔｓ，ｎが有効である場合はＱｏｆｆｓｅｔｓ，ｎに等しく、さもなければこれは０に等しい。周波数間では、Ｑｏｆｆｓｅｔｓは、Ｑｏｆｆｓｅｔｓ，ｎが有効である場合はＱｏｆｆｓｅｔｓ，ｎ＋Ｑｏｆｆｓｅｔｆｒｅｑｕｅｎｃｙに等しく、さもなければこれはＱｏｆｆｓｅｔｆｒｅｑｕｅｎｃｙに等しい。
【００９５】
ＵＥは、セル選択基準を満たすすべてのセルのランク付けを実行するが、許容されるべきでないとＵＥによって知られるすべての限定加入者グループセルを除外し得る。
【００９６】
電力効率的なＵＥ実装形態に適応するために、ｅノードＢは、範囲拡大におけるＵＥが、最も強いセルまたは範囲拡大をもつより弱いセルのいずれかにキャンプオンすることを可能にする。一構成では、現在の単一のＱｏｆｆｓｅｔがシステム情報中に保持される。これにより、最高ランクのセルでないセルにキャンプオンするとき、ＵＥ実装形態のフレキシビリティが可能になる。別の構成では、ＵＥがブロードキャスト値のうちの１つを使用してキャンピングプロシージャを実行することができるように、複数のＱｏｆｆｓｅｔ値がブロードキャストされる。さらに、ＵＥは、特定用途向けであり得る、好適なＱｏｆｆｓｅｔをネットワークに通知し得る。さらに、ページングエリアは、少なくとも最も強いセルと弱いセルの両方を含む。より詳細には、ページングエリアは、マクロセルと、マクロカバレージ下の範囲拡大ピコセルのすべてとを含み得る。
【００９７】
図１１Ａ〜図１１Ｄに、異種ネットワークにおけるアイドルモード動作の様々な方法を示す。図１１Ａは、ＵＥがより弱いセルにキャンプオンするアイドルモード動作の方法１１０１を示している。特に、ブロック１１１０において、ＵＥは、より強いセルからのより強い信号が存在する場合、範囲拡大領域中のピコセルなどのより弱いセルにキャンプオンする。ＵＥがより弱いセルを直接ＲＡＣＨすることができるので、ＵＥはアイドルモードから接続モードに迅速に切り替わることができる。ＵＥは、それの近傍にあるセルのすべてを監視し、セルからの信号に対して干渉消去を実行することができる。ブロック１１１２において、ＵＥは、より強いセルからの信号に対して干渉消去（ＩＣ）を実行する。信号は、ＰＳＳ、ＳＳＳ、ＰＢＣＨおよび／またはＣＲＳを含み得る。干渉消去は、ＵＥがアイドルモードにあるときは第１のレートで、ＵＥが接続モードにあるときは第２のより速いレートで実行される。たとえば、ＵＥは、アイドルモードにあるとき、より低い頻度で干渉消去を実行し得る。
【００９８】
一構成では、ＵＥ６５０は、キャンピングするための手段を含むワイヤレス通信のために構成される。一態様では、キャンピング手段は、キャンピング手段によって具陳された機能を実行するように構成されたメモリ６６０および／またはコントローラ／プロセッサ６５９であり得る。ＵＥ６５０はまた、干渉消去を実行するための手段を含むように構成される。一態様では、実行手段は、実行手段によって具陳された機能を実行するように構成されたメモリ６６０および／またはコントローラ／プロセッサ６５９であり得る。別の態様では、上述の手段は、上述の手段によって具陳された機能を実行するように構成されたモジュールまたは任意の装置であり得る。
【００９９】
図１１Ｂは、ＵＥがより強いセルにキャンプオンするアイドルモード動作の方法１１０２を示している。ＵＥは、最も強いセルを監視するが、アイドルモードにおいて干渉消去動作を実行してもまたは実行しなくてもよい。ブロック１１２０において、ＵＥは、第１のセルからのページを復号する。ＵＥは、次いでブロック１１２２において、第１のセルからのページを復号したことに応答して、第１のセルに接続すべきか異なるセルに接続すべきかを判断する。ＵＥは、ブロック１１２４において、ページに応答して、判断に少なくとも部分的に基づいて第１のセルまたは第２のセルに接続する。ＵＥは、ＵＥが最終的にそれに接続すべきセルに直接ＲＡＣＨする。たとえば、ＵＥは、範囲拡大領域中のピコセル、または他の領域中の最も強いセルに応答する。
【０１００】
一構成では、ＵＥ６５０は、復号するための手段を含むワイヤレス通信のために構成される。一態様では、復号手段は、復号手段によって具陳された機能を実行するように構成されたコントローラ／プロセッサ６５９および／またはメモリ６６０であり得る。ＵＥ６５０はまた、判断するための手段を含むワイヤレス通信のために構成される。一態様では、判断手段は、判断手段によって具陳された機能を実行するように構成されたコントローラ／プロセッサ６５９および／またはメモリ６６０であり得る。ＵＥ６５０はまた、応答するための手段を含むワイヤレス通信のために構成される。一態様では、応答手段は、応答手段によって具陳された機能を実行するように構成されたコントローラ／プロセッサ６５９および／またはメモリ６６０であり得る。
【０１０１】
図１１Ｃは、異種ネットワークにおけるアイドルモード動作のための方法１１０３を示している。ブロック１１３０において、ＵＥは、より強いセルからの信号を受信する。ブロック１１３２において、ＵＥはより弱いセルからの信号を受信する。より強いセルは、より弱いセルよりも高い送信電力を有する。ブロック１１３４において、ＵＥは、より強いセルにキャンプオンすべきかより弱いセルにキャンプオンすべきかを判断する。判断は、ＵＥが接続モードからアイドルモードに遷移してからの持続時間に基づく。ＵＥは、ＵＥが接続モードからアイドルモードに切り替わった直後に、ある時間量（Ｔ）の間、より弱いセル（たとえば、ピコセル）にキャンプオンし得る。さらに、ＵＥが時間Ｔを越えてアイドルモードのままである場合、ＵＥは、より強いセルにキャンプオンすることに切り替わり得る。
【０１０２】
一構成では、ＵＥ６５０は、受信するための手段を含むワイヤレス通信のために構成される。一態様では、受信手段は、受信手段によって具陳された機能を実行するように構成された、アンテナ６５２、受信機６５４、受信プロセッサ６５６、メモリ６６０および／またはコントローラ／プロセッサ６５９であり得る。ＵＥ６５０はまた、判断するための手段を含むように構成される。一態様では、判断手段は、判断手段によって具陳された機能を実行するように構成されたメモリ６６０および／またはコントローラ／プロセッサ６５９であり得る。別の態様では、上述の手段は、上述の手段によって具陳された機能を実行するように構成されたモジュールまたは任意の装置であり得る。
【０１０３】
図１１Ｄは、どのセルが最も強いセルであるかをＵＥが判断することを可能にするために異なるセルがランク付けされたネットワークにおけるアイドルモード動作のための方法１１０４を示している。ブロック１１４０において、ＵＥはサービング基地局ランク値を識別する。サービング基地局ランク値は、受信サービング基地局信号電力とバイアス値とに少なくとも部分的に基づいて判断される。バイアス値は変数であり得るか、またはバイアス値は、サービングセルを選好する値を表し得る。ＵＥはまた、ブロック１１４２において、近隣基地局ランク値を識別する。近隣基地局ランク値は、受信近隣基地局信号電力とオフセット値とに少なくとも部分的に基づいて判断される。ＵＥは、セル選択基準を満たすセルをランク付けする。ブロック１１４４において、ＵＥは、サービング基地局ランク値が近隣基地局ランク値よりも小さいとき、サービング基地局から近隣基地局へのハンドオフを開始する。
【０１０４】
一構成では、ＵＥ６５０は、識別するための手段を含むワイヤレス通信のために構成される。一態様では、識別手段は、識別手段によって具陳された機能を実行するように構成されたメモリ６６０および／またはコントローラ／プロセッサ６５９であり得る。ＵＥ６５０はまた、開始するための手段を含むように構成される。一態様では、開始手段は、開始手段によって具陳された機能を実行するように構成されたメモリ６６０および／またはコントローラ／プロセッサ６５９であり得る。別の態様では、上述の手段は、上述の手段によって具陳された機能を実行するように構成されたモジュールまたは任意の装置であり得る。
【０１０５】
図１２は、例示的な装置１２００中の異なるモジュール／手段／構成要素間のデータフローを示す概念的データフロー図である。装置１２００は、第１のセルからのページを受信する受信モジュール１２０６を含む。受信モジュール１２０６はページを復号モジュール１２０２に受け渡す。復号モジュール１２０２は、ページを復号し、復号された情報を判断モジュール１２０４に送る。判断モジュール１２０４は、復号されたページに応答して、異なる第２のセルに接続すべきかどうかを判断する。判断モジュール１２０４は決定を送信モジュール１２０８に送り、送信モジュール１２０８は、ページに応答して、信号１２１２を介して第１のセルまたは第２のセルに接続する。本装置は、上述のフローチャート１１Ｂ中のアルゴリズムのステップの各々を実行する追加のモジュールを含み得る。したがって、図１１Ｂの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０６】
図１３は、例示的な装置１３００中の異なるモジュール／手段／構成要素間のデータフローを示す概念的データフロー図である。装置１３００は、より強いセルからの信号を受信する受信モジュール１３０６を含む。受信モジュール１３０６はまた、より弱いセルからの信号を受信する。受信モジュール１３０６は、受信した信号を判断モジュール１３０４に受け渡し、判断モジュール１３０４は、より強いセルにキャンプオンすべきかより弱いセルにキャンプオンすべきかを判断する。判断モジュール１３０４はそれの決定を送信モジュール１３０８に受け渡し、送信モジュール１３０８は応答して、判断されたセルに接続するための信号を送信する。本装置は、図１１Ｃの上述のフローチャート中のアルゴリズムのステップの各々を実行する追加のモジュールを含み得る。したがって、図１１Ｃの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０７】
図１４は、例示的な装置１４００中の異なるモジュール／手段／構成要素間のデータフローを示す概念的データフロー図である。装置１４００は、サービング基地局と近隣基地局とのためのランク値を受信する受信モジュール１４０６を含む。装置１４００はまた、受信モジュール１４０６からランク値を受信する識別モジュール１４０４を含む。識別モジュールは、サービング基地局ランク値と近隣基地局ランク値とを識別する。サービング基地局ランク値が近隣基地局ランク値よりも小さいとき、識別モジュールは信号を送信モジュール１４０８に受け渡す。送信モジュール１４０８は、次いで、信号１４１２を介してサービング局から近隣局へのハンドオフを開始する。本装置は、図１１Ｄの上述のフローチャート中のアルゴリズムのステップの各々を実行する追加のモジュールを含み得る。したがって、図１１Ｄの上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０８】
図１５は、処理システム１５１４を採用する装置１５００のためのハードウェア実装形態の例を示す図である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５２２とコンピュータ可読媒体１５２６とによって表される、１つまたは複数のプロセッサおよび／またはハードウェアモジュールを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【０１０９】
本装置は、トランシーバ１５３０に結合された処理システム１５１４を含む。トランシーバ１５３０は、１つまたは複数のアンテナ１５２０に結合される。トランシーバ１５３０は、伝送媒体を介して様々な他の装置と通信することを可能にする。処理システム１５１４は、コンピュータ可読媒体１５２６に結合されたプロセッサ１５２２を含む。プロセッサ１５２２は、コンピュータ可読媒体１５２６に記憶されたソフトウェアの実行を含む一般的な処理を担当する。ソフトウェアは、プロセッサ１５２２によって実行されたとき、処理システム１５１４に、いずれかの特定の装置について説明する様々な機能を実行することを行わせる。コンピュータ可読媒体１５２６はまた、ソフトウェアを実行するときにプロセッサ１５２２によって操作されるデータを記憶するために使用され得る。
【０１１０】
処理システム１５１４は、バス１５２４によって互いにリンクされたモジュール１５０１〜１５０８の全部、または一部分を含んでいることがある。一態様では、処理システム１５１４は、キャンプピングモジュール１５０１と干渉消去モジュール１５０２とを含む。キャンピングモジュール１５０１は、ＵＥがより弱いセルにキャンプオンするときに利用される。干渉消去モジュール１５０２は、ＵＥが干渉消去を実行するときに使用される。
【０１１１】
別の態様では、処理システム１５１４は、復号モジュール１５０３と、判断モジュール１５０４と、応答モジュール１５０５とを含む。復号モジュール１５０３は第１のセルからのページを復号する。判断モジュール１５０４は、ページを復号したことに応答して、異なる第２のセルに接続すべきかどうかを判断する。応答モジュール１５０５は、ページに応答して、判断に少なくとも部分的に基づいて第１のセルまたは第２のセルに接続する。
【０１１２】
別の態様では、処理システム１５１４は、受信モジュール１５０６と判断モジュール１５０４とを含む。受信モジュール１５０６は、より強いセルからの信号と、より弱いセルからの信号とを受信する。判断１５０４は、より強いセルにキャンプオンすべきかより弱いセルにキャンプオンすべきかを判断する。
【０１１３】
別の態様では、処理システム１５１４は、識別モジュール１５０７と開始モジュール１５０８とを含む。識別モジュール１５０７は、サービング基地局ランク値とネイバー基地局ランク値とを識別する。開始モジュール１５０８は、サービング局から近隣局へのハンドオフを開始する。
【０１１４】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１１５】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１６】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１１７】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１１８】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2014534703.tif 000005
【図２】
2014534703.tif 000006
【図３】
2014534703.tif 000007
【図４】
2014534703.tif 000008
【図５】
2014534703.tif 000009
【図６】
2014534703.tif 000010
【図７】
2014534703.tif 000011
【図８Ａ】
2014534703.tif 000012
【図８Ｂ】
2014534703.tif 000013
【図９】
2014534703.tif 000014
【図１０】
2014534703.tif 000015
【図１１Ａ】
2014534703.tif 000016
【図１１Ｂ】
2014534703.tif 000017
【図１１Ｃ】
2014534703.tif 000018
【図１１Ｄ】
2014534703.tif 000019
【図１２】
2014534703.tif 000020
【図１３】
2014534703.tif 000021
【図１４】
2014534703.tif 000022
【図１５】
2014534703.tif 000023
【国際調査報告】
2014534703.tif 000024
2014534703.tif 000025
2014534703.tif 000026
2014534703.tif 000027
2014534703.tif 000028